(57)【特許請求の範囲】
【請求項１】
２つの外装シートの間に位置付けられる支持パネルを有する照明装置であって、
前記支持パネルは、少なくとも１つの発光モジュールを備え、
前記２つの外装シートは、
各々が２つの平行な縦側部を有し、
少なくとも、前記支持パネル及び前記２つの外装シートが互いに実質的に平行に延在する閉じた状態から、前記閉じた状態よりも前記２つの外装シートが少なくとも部分的にさらに離間される広げた状態へと、互いに対して移動可能であり、
前記閉じた状態では、相互接続された縦側部の第１及び第２のセットを形成するために、前記２つの外装シートの第１の外装シートの前記２つの平行な縦側部が、前記２つの外装シートの第２の外装シートの前記２つの平行な縦側部に接続され、
相互接続された縦側部の前記第１及び第２のセットは、前記閉じた状態から前記広げた状態にするよう、前記２つの外装シートを離間させるために互いに向かって移動可能であり、
前記支持パネルは、発光モジュールとして発光ダイオードを含み、前記閉じた状態及び前記広げた状態の両方において前記２つの外装シートの間に位置付けられ、前記発光ダイオードは、前記２つの外装シートの少なくとも一つに面する、
照明装置。
【請求項２】
少なくとも前記広げた状態では、前記２つの外装シートの相互接続された縦側部の前記２つのセットは、前記支持パネルのための取り付け具を有する、請求項１に記載の照明装置。
【請求項３】
前記２つの外装シートの少なくとも１つが、前記２つの平行な縦側部の間に延在する折り目に沿って畳むことが可能なフラップを有する、請求項１または２に記載の照明装置。
【請求項４】
前記折り目がアーク状であり、前記アーク状の折り目の凸側が、前記フラップの外側に位置付けられている、請求項３に記載の照明装置。
【請求項５】
前記フラップが、前記フラップの一方の側にある前記アーク状の折り目と、前記フラップの対向する側にあるアーク状縁部とによって境界付けられている、請求項４に記載の照明装置。
【請求項６】
前記広げた状態では、前記２つの外装シートは、閉じられた前記フラップによって離間されて保持される、請求項３ないし５のいずれか一項に記載の照明装置。
【請求項７】
前記２つの外装シートの一方は反射性であり、前記広げた状態では、発光モジュールによって前記反射性外装シートに向かって放射された光は、前記反射性外装シートによって、前記支持パネルを通って他方の半透明な外装シートに向かって反射される、請求項１ないし６のいずれか一項に記載の照明装置。
【請求項８】
前記支持パネルは、少なくとも部分的に半透明である、請求項７に記載の照明装置。
【請求項９】
前記半透明な外装シートは、光拡散器である、請求項７または８に記載の照明装置。
【請求項１０】
前記反射性外装シートは、不透明である、請求項７ないし９のいずれか一項に記載の照明装置。
【請求項１１】
前記２つの外装シートの両方が、半透明である、請求項１ないし６のいずれか一項に記載の照明装置。
【請求項１２】
前記２つの外装シートの前記相互接続された縦側部が、締結手段によって互いに接続される、請求項１ないし１１のいずれか一項に記載の照明装置。
【請求項１３】
前記発光ダイオードが、前記支持パネルの両側に取り付けられ、各々がそれぞれの前記２つの外装シートの一つに面する、請求項１ないし１２のいずれか一項に記載の照明装置。
【発明の詳細な説明】
【技術分野】
【０００１】
本発明は、２つの外装シートの間に位置付けられる支持パネルを有する照明装置であって、支持パネルは少なくとも１つの発光モジュールを備え、外装シートの少なくとも１つは半透明であり、外装シートは、少なくとも、支持パネル及び外装シートが互いに実質的に平行に延在する閉じた状態から、閉じた状態よりも外装シートが少なくとも部分的にさらに離間される広げた状態へと、互いに対して移動可能である照明装置に関する。
【背景技術】
【０００２】
畳むことができる照明装置は、多数の分野において非常に広く用いられている。
【０００３】
ＷＯ２００９／１４７６５７Ａ２は、安価な大量生産に順応でき、且つ、簡単に組み立てられるように構成された畳むことが可能なランプシェードを示す。フレーム部分は、実質的に互いの鏡像として成形された、相互接続された又は別々の相補的なシート状の部品の対を有する。シート状の部品は、シート又は箔であり、任意選択で凹及び／若しくは凸形のレリーフ形状並びに／又は装飾若しくは畳むための補助としての切り欠き曲線を有する。ランプシェードは、電球を備えるランプソケットを取り外すことなく、組み立てられ、分解される。
【０００４】
この照明装置の欠点は、シート状の部品に平行な方向に畳んだ状態（＝位置）における照明装置のサイズが比較的大きいことである。さらに、畳んだ状態では、電球は露出し、損傷が与えられやすく、汚染されやすい。
【発明の概要】
【発明が解決しようとする課題】
【０００５】
先行技術の上記及び他の欠点を考慮して、本発明の全体的な目的は、改良された畳むことができる照明装置、特に組み立てるのが簡単な照明装置を提供することである。
【課題を解決するための手段】
【０００６】
第１態様によれば、本発明は、閉じた状態では、相互接続された縦側部の第１及び第２のセットを形成するために、２つの外装シートの第１の２つの平行な縦側部が、それぞれの２つの外装シートの第２の２つの平行な縦側部に接続され、相互接続された縦側部の第１及び第２のセットは、広げた状態では、外装シートを離間するために互いに向かって移動可能である照明装置を提供する。
【０００７】
照明装置を閉じた状態から広げた状態に動かすために、相互接続された縦側部の第１及び第２のセットは、互いに向かって動かされる。この移動中、２つの外装シートは外側に湾曲し、シートが支持パネルから少なくとも部分的に離間されることを可能にする。移動及び湾曲の結果は、筒のような形状を有する照明装置である。閉じた状態では、照明装置は、比較的平坦であり、したがって、ほとんどスペースを占めず、収納及び持ち運びが容易である。支持パネルが外装シート間に位置付けられるため、閉じた状態及び広げた状態の両方において、支持パネル上の発光モジュールは常に、外装シートによって損傷及び汚染から保護される。
【０００８】
閉じた状態では、外装シートは、支持パネルの幅よりも大きな幅を有し得る。広げた状態では、外装シートの縦側部間の距離は、閉じた状態よりも小さい。このことは、外装シートが湾曲されることを可能にする。
【０００９】
他の態様によれば、本発明は、少なくとも広げた状態において、外装シートの相互接続された縦側部の２つのセットは、支持パネルのための取り付け具（mount）を有する照明装置を提供する。
【００１０】
広げた状態では、外装シートは、外装シートの接続された平行な縦側部が、互いに関して、支持パネルの幅とおおよそ同じ距離にある態様で湾曲し得る。湾曲した外装シートは、接続された平行な縦側部の領域において、互いに対して或る角度で取り付けられる。支持パネルは、その後、両方の平行な縦側部上の２つの外装シートによって形成された各角度によって保持され得る。支持パネルは、広げた状態では、接続された平行な縦側部間で動かなくなる。理想的な状況では、支持パネルと接続された平行な縦側部との間には遊びが無く、その結果、支持パネルは、しっかりと所定の位置に保持され、支持パネルに平行な方向に動くことは不可能である。
【００１１】
支持パネルは、支持パネルが長手方向に移動するのを防止するために、締結手段によって、外装シートのいずれか一つに締結され得る。支持パネルが両方の外装シートに締結される場合、広げた状態において、締結された支持パネルが、湾曲した外装シートが閉じた状態に戻るのを防止するため、照明装置の構造的完全性が保証される。
【００１２】
代替的に、相互接続された平行な縦側部は、突出部、すなわち支持パネルのための取り付け具を形成する閉じられた縁部を有し得る。
【００１３】
他の態様によれば、本発明は、外装シートの少なくとも１つが、２つの平行な縦側部間に延在する折り目について畳むことが可能なフラップ（flap）を有する照明装置を提供する。
【００１４】
フラップは、閉じた平坦な状態と広げた状態との間で畳むことが可能であり、フラップは折り目にわたって或る角度で閉じられ、これにより照明装置の横側部を少なくとも部分的に覆う。
【００１５】
他の態様によれば、本発明は、折り目がアーク状であり、アーク状の折り目の凸側がフラップの外側に位置付けられる照明装置を提供する。
【００１６】
広げた状態では、外装シートが湾曲した形状を有するため、アーク状の折り目は有利である。フラップがアーク状の折り目について畳まれると、折り目は、折り目が取り付けられた外側シートの湾曲を規定する。
【００１７】
他の態様によれば、本発明は、フラップが、フラップの一方の側にあるアーク状の折り目と、フラップの対向する側にあるアーク状縁部とによって境界付けられる照明装置を提供する。
【００１８】
外装シートが湾曲すると、照明装置の横側部にある開口部は、外装シート側の両方が湾曲した断面を有する。フラップは、開口部全体を覆うことができる。
【００１９】
フラップは、好ましくは、約９０°を介して閉じられ、したがって、支持パネルに実質的に垂直に延在する。フラップは、１つの外装シートのフラップのアーク状縁部が、他の外装シートの湾曲した縁部に隣接する態様で湾曲する。
【００２０】
他の態様によれば、本発明は、広げた状態では、外装シートが、閉じられたフラップによって離間されて保持される照明装置を提供する。
【００２１】
外装シートが湾曲した状態に維持されるために、閉じられたフラップは、外装シートが閉じられた状態に戻ることを防止するブロック手段を提供する。この目的を達成するために、１つの外装シートのフラップのアーク状縁部は、他の外装シートの湾曲した縁部に隣接される。
【００２２】
好ましくは、両方の外装シートは、その両側にフラップが設けられ、２つの外装シートの一方の側の近くのフラップは互いに平行に延在し、１つの外装のアーク状の折り目は、他の外装シートのアーク状縁部の近くに位置付けられる。
【００２３】
他の態様によれば、本発明は、外装シートの１つは反射性であり、広げた状態では、発光モジュールによって反射性外装シートに向かって放射された光は、反射性外装シートによって、支持パネルを通って半透明な外装シートに向かって反射される照明装置を提供する。
【００２４】
発光モジュールは、従来の電球、ネオン電球又はこれらに類するものなど任意の種類の発光モジュールであり得るが、好ましくは、非常に高強度の光を生成し、他の発光モジュールと比較して比較的低消費電力の発光ダイオード（ＬＥＤ）である。発光モジュールは、好ましくは、支持パネルの、反射性外装シートに面する側にのみ取り付けられる。
【００２５】
反射性外装シートは、少なくとも１つの発光モジュールに面する方向に反射特性を有する。好ましくは、反射性外装シートは、光を最大限に反射させるために高反射性である。反射性外装シートは、例えばＭＣＰＥＴシート又はアルミニウムシートであり得る。
【００２６】
半透明な外装シートは、光が照明装置の内側から照明装置の外側に通過することを可能とするシートである。半透明な外装シートは、支持パネルの、少なくとも１つの発光モジュールから離れる方に面する側に取り付けられる。半透明な外装シートは、プラスチックシートであり得る。
【００２７】
支持パネルは、少なくとも１つの発光モジュールを有し、少なくとも１つの発光モジュールに電力を供給するために必要な電力供給線も有し得る。
【００２８】
２つ以上の発光モジュールが支持パネルに取り付けられ得る。この目的を達成するために、相互接続された発光モジュールのアレイが形成され得る。
【００２９】
少なくとも１つの発光モジュールによって放射される光線は、反射性外装シートに向かって進む。反射性外装シートは、光線を、支持パネルを通って半透明な外装シートの方向へ、そして、半透明な外装シートを通って照明装置の外側へ向かって反射させる。
【００３０】
湾曲した反射性外装シートは、入射光線及び出射光線の角度が湾曲した反射性外装シートの各点で変わるように、光が種々異なる方向に反射されるのを可能にする。湾曲した半透明な外装シートは、半透明な外装シートの上にまだらな影ができるのを防止するために、必要なスペースを支持パネルに提供する。
【００３１】
例えば、ＬＥＤが使用される場合、半透明の外装シートにわたって均一な配光を得るために、支持パネル上のＬＥＤ間の距離は、好ましくはＬＥＤと半透明な外装シートとの間の距離よりも小さい。光は、まず反射性外装シートに向けられ、その後反射されて戻って支持パネルを通り、半透明な外装シートに向けられるため、２つの外装シート間の距離は、光が支持パネルから半透明な外装シートに直接向けられた場合に、光路と同じ長さを得るために必要となる距離の約２／３であり得る。
【００３２】
他の態様によれば、本発明は、支持パネルが少なくとも部分的に半透明である照明装置を提供する。
【００３３】
好ましくは、支持パネルは、開放構造を有し、光が支持パネルを通過することを可能にする。反射性外装シートによって反射される光は、発光モジュール及び電力供給線が取り付けられる支持パネルを通過する。
【００３４】
発光モジュール、支持パネル自体、及び最終的には電力供給線によって阻止される光の量を最小化するために、支持パネルは、例えば透明なプラスチックで作られたベースパネルなどの半透明な部品を有し得る。代替的に、支持パネルは、発光モジュールが取り付けられるワイヤグリッドとして形成され得る。ワイヤ又は発光モジュールで覆われていないエリアは、開放エリアであり得る。支持パネルの構造的強度がワイヤグリッドによって提供され得るので、これらのエリアにベースパネルを設ける必要は無い。
【００３５】
他の態様によれば、本発明は、半透明な外装シートが光拡散器である照明装置を提供する。
【００３６】
光拡散器は、特定の表面粗さを有する半透明なプラスチックシートであり得る。表面粗さは、光拡散器を通過する光線を分散し、光を複数方向に拡散する。拡散器の使用は、比較的高強度の光が複数方向に広がり、これにより１つの特定方向における光の相対強度を低減させるという有利な点を有する。特定方向における高強度光線によって生ずるグレアは、これによりさらに大幅に低減される。
【００３７】
発光モジュールによって放射される光線が、反射性外装シートによって支持パネルの方向に反射されると、光線は、発光モジュールに当たり、これにより半透明な外装シート上に影を生じさせる。半透明な外装シートとして機能する拡散器は、光を拡散し、ユーザに均一な配光を提供し、これにより影を補償する。この目的を達成するために、拡散器は支持パネルから離間される必要がある。
【００３８】
拡散シートは、好ましくは、表面粗さを有するＰＥＴ又はＰＣフィルムである。
【００３９】
他の態様によれば、本発明は、反射性外装シートが不透明である照明装置を提供する。
【００４０】
不透明な反射性外装シートは、光が反射性外装シートを通過するのを防止する。反射性外装シートが反射シートに当たる全ての光を反射するため、光の損失は最小化され、半透明外装シートを通る光出力は最大化される。
【００４１】
他の態様によれば、本発明は、外装シートの相互接続された縦側部が、締結手段によって互いに接続される照明装置を提供する。
【００４２】
締結手段は、例えばクリップ、リング又は接着テープを含み得る。締結手段は、照明装置を広げるために、外装シートの１つの縦側部の近くの領域を、他の外装シートの縦側部の近くの領域に対して傾斜させることを可能にする。
【００４３】
本発明のこれら及び他の態様は、本発明の現在好ましい実施形態を示す添付の図面を参照して、ここでより詳細に説明される。
【図面の簡単な説明】
【００４４】
【図１Ａ】図１Ａは、広げた状態の本発明による照明装置の第１実施形態の斜視図を示す。
【図１Ｂ】図１Ｂは、広げた状態の本発明による照明装置の第１実施形態の断面図を示す。
【図２Ａ】図２Ａは、図１Ａに示される実施形態の閉じた状態の斜視図を示す。
【図２Ｂ】図２Ｂは、図１Ｂに示される実施形態の閉じた状態の断面図を示す。
【図３Ａ】図３Ａは、閉じた状態の図２Ａに示される照明装置の層のスタックの斜視図を示す。
【図３Ｂ】図３Ｂは、閉じた状態の図２Ｂに示される照明装置の層のスタックの断面図を示す。
【図４Ａ】図４Ａは、広げた状態の本発明による照明装置の第２実施形態の斜視図を示す。
【図４Ｂ】図４Ｂは、図４Ａに示される照明装置の閉じた状態の外装シート及びフラップの平面を示す。
【発明を実施するための形態】
【００４５】
図１Ａ乃至図３Ｂは、本発明による照明装置１の第１実施形態の斜視図及び断面図を示す。照明装置１は、支持パネル２を有し、発光モジュール３、例えばＬＥＤが支持パネル２の一方の側に取り付けられる。支持パネル２は、２つの対向する縦側部４、５と、２つの対向する横側部６、７とを有する。縦側部４、５は、矢印Ｐ１の方向に延在する。
【００４６】
発光モジュール３が取り付けられる支持パネル２の側に、照明装置１は、反射性外装シート８を有する。反射性外装シート８は、反射層９を備える。反射層９は、発光モジュール３の方に向けられている。反射性外装シート８は、矢印Ｐ１の方向に延在する第１及び第２の平行な縦側部１１、１２を有する。好ましくは、反射性外装シート８は不透明であり、これにより光が照明装置１のこちら側から放射されることを防ぐ。
【００４７】
支持パネル２の他方の側に、照明装置１は、半透明な外装シート１０を有する。半透明な外装シート１０は、矢印Ｐ１の方向に延在する第１及び第２の平行な縦側部１３、１４を有する。
【００４８】
反射性外装シート８の第１の縦側部１１は、接着テープ１５の形態の締結手段によって、半透明な外装シート１０の第１の縦側部１３に接続される。両方の湾曲した外装シートの対向する側には、反射性外装シート８の第２の縦側部１２が、接着テープ１６の形態の締結手段によって、半透明な外装シート１０の第２の縦側部１４に接続される。
【００４９】
図１Ａ及び図１Ｂに示される広げた状態では、外装シート８、１０は、互いに離間され、相互接続された第１の縦側部１１、１３と相互接続された第２の縦側部１２、１４との間の支持パネル２から離間され、これにより照明装置１のハウジングを形成する中空の、筒状部材を形成する。
【００５０】
広げた状態では、反射性外装シート８及び半透明な外装シート１０は、相互接続された第１の縦側部１１、１３及び相互接続された第２の縦側部１２、１４がそれぞれ支持パネル２の縦側部４、５と接触する態様で湾曲する。
【００５１】
図１Ｂは、使用時における広げた状態の照明装置１を示す。光線１７は、発光モジュール３によって反射性外装シート８に向けて放射される。これらの光線１７は、反射性外装シート８によって、少なくとも部分的に半透明な支持パネル２を通過する光線１８として、半透明な外装シート１０の方向に反射される。半透明な外装シート１０は、拡散器として作用する。半透明な外装シート１０に到達する光線１８は、多数の方向に伝搬する多数の光線１９として半透明な外装シート１０を通過する。
【００５２】
光線１８の拡散は、光の強度を低減させる。半透明な外装シートを通過する光線１９は、光線１８の強度よりもはるかに弱い強度を有する。したがって、高強度の光線の結果として生じるグレアは大幅に低減される。
【００５３】
閉じた状態では、図２Ａ−図３Ｂに示されるように、支持パネル２、反射性外装シート８及び半透明な外装シート１０は、全て平坦である。支持パネル２の縦側部４、５間の距離Ｘ１は、第１の外装シート８の縦側部１１、１２間の距離Ｘ２よりも小さく、第２の外装シート１０の縦側部１３、１４間の同じ距離Ｘ２よりも小さい。
【００５４】
閉じた状態では、反射性外装シート８は、発光モジュールに隣接し、これにより、例えば収納時及び持ち運び時に、発光モジュール３のための保護層を形成する。
【００５５】
照明装置１を閉じた状態から広げた状態に組み立てるとき、ユーザーは、相互接続された第１の縦側部１１、１２と第２の縦側部１３、１４とを互いに向かって押し、これにより相互接続された縦側部１１、１２と１３、１４との間の距離を互いに対して小さくすることができる。相互接続された第１の縦側部１１、１２と第２の縦側部１３、１４との間の距離は、距離Ｘ２から距離Ｘ１に減少する。支持パネル２も縦側部４、５間に距離Ｘ１を有するため、距離Ｘ２からＸ１への減少は、支持パネル２が外装シートの縦側部１１、１２及び１３、１４で保持されることを可能にする。
【００５６】
距離Ｘ２を距離Ｘ１に減少させると、反射性外装シート８及び半透明な外装シート１０は、両方の外装シートが互いに離間され、さらに支持パネル２から離間される態様で湾曲する。反射性外装シート８及び半透明な外装シート１０の湾曲を可能にするために、両方の外装シート８、１０は、フレキシブルな材料で作られる。
【００５７】
接着テープ１５、１６の領域では、反射性外装シート８及び半透明な外装シート１０は、互いに隣接し、互いに対して傾斜する。反射性外装シート８と半透明な外装シート１０との間に規定される角度は、支持パネル２が保持される空間を形成する。支持パネル２は、縦側部１１、１２と１３、１４との間にしっかりと固定され、これにより横方向においてガタつくことなくしっかりと取り付けられ得る。照明装置１は、いくつかの手段、例えば支持パネル２の縦側部４、５を相互接続された縦側部１１、１２のそれぞれに取り付けることによって、広げた状態に維持され得る。
【００５８】
照明装置全体にわたって、支持パネル２上の発光モジュール３から反射性外装シート８に向かい、その後戻って支持パネル２を通り、半透明な外装シート１０に向かう光路の全長が、支持パネル２上の隣接する発光モジュール３間の距離よりもわずかに長くなるように、縦側部１１、１２、１３、１４の近くの支持パネル２上の隣接する発光モジュール３間の距離は、好ましくは、支持パネル２の中央の近くに位置付けられた隣接する発光モジュール３間の距離よりも小さい。
【００５９】
図４Ａ−図４Ｂは、広げた状態（図４Ａ）及び閉じた状態（図４Ｂ）における本発明による照明装置３０を示す。
【００６０】
照明装置３０は、発光モジュールを備える支持パネル（不図示）と、反射性外装シート３１と、半透明シート３２とを有する。閉じた状態では、図４Ｂに示されるように、反射性外装シート３１及び半透明シート３２は、折り目３５を形成する縦側部３３、３４で互いに接続される。外装シート３１、３２の縦側部３６、３７は、折り目３５の両側に位置付けられる。閉じた状態では、両方の外装シートの縦側部３３、３４は同じ場所に位置付けられる。
【００６１】
反射性外装シート３１及び半透明な外装シート３２の横側部にフラップが形成される。フラップ３８、３９は、アーク状の折り目４０、４１を介して、それぞれの外装シート３１、３２に接続される。アーク状の折り目４０は、反射性外装シート３１の縦側部３３、３６間に延在する。折り目４１は、半透明な外装シート３２の縦側部３４、３７間に延在する。アーク状の折り目４０、４１は、アーク状の折り目４０、４１の凸側がフラップ３８、３９の外側であって外装シート３１、３２上に位置付けられるようになっている。アーク状の折り目４０、４１と対向する側にあるフラップ３８、３９の境界を定めるフラップ３８、３９の外縁辺４２は、好ましくは、アーク状の折り目４０、４１と同じアーク状の形状を有する。アーク状の縁辺４２の凹側は、フラップ３８、３９の方に向けられている。
【００６２】
照明装置３０を閉じた状態から広げた状態に組み立てると、反射性外装シート３１及び半透明な外装シート３２は、反射性外装シート３１の縦側部３６と半透明な外装シート３２の縦側部３７とが互いに隣接するようになる態様で、折り目３５を中心として閉じられる。両方の縦側部３６、３７は、テープのような締結手段によって互いに接続される。相互接続される縦側部３３、３４及び相互接続される縦側部３６、３７は、次いで互いに向かって移動し、これにより外装シート３１、３２をアーク形状に湾曲させ、少なくとも部分的に互いから離間されるようにする。外装シート３１、３２は、中空の、筒状部材を形成する。したがって、フラップ３８、３９は、アーク状の折り目４０、４１について、筒状部材の横側部の開口部を覆うために、約９０°の角度を介して閉じられる。
【００６３】
まず、フラップ３８は、縁辺４２がフラップ３９の折り目４１に隣接するまで、折り目４０について閉じられる。次いで、フラップ３９は、縁辺４２がフラップ３８の折り目４０に隣接するまで、折り目４１について閉じられる。閉じられたフラップ３８、３９は、照明装置の構造的完全性を維持するために、照明装置３０を広げた状態のままにすることを可能にする。フラップ３８、３９は、外装シート３１、３２が閉じた、平坦な状態に戻ることを防止し、反射性外装シート３１及び半透明な外装シート３２が離間されたままであることを確実にする。
【００６４】
代替的に、反射性外装シート３１及び半透明な外装シート３２を、広げた状態で離間された状態に保つために、他の手段も使用し得る。この目的を達成するために、反射性外装シート３１と半透明な外装シート３２との間の横方向開口部に取り付けられるスペーサー、ロッド又は任意の他の形状のフラップが使用され得る。
【００６５】
支持パネル２は、発光モジュールが取り付けられるワイヤグリッド又は伸長リードフレームであり得る。
【００６６】
反射性外装シート及び半透明な外装シートを相互接続するための締結手段は、接着テープに限定されない。他の可能な締結手段、例えば糊、リング、ボタン又は縫い糸があり得る。
【００６７】
代替的に、支持パネル２は、他の取付手段によって外装シート間に保持され得る。この目的を達成するために、支持パネル２の縦側部は、ピンなどの、支持パネルを所定の位置に保持しながら、外装シートの少なくとも１つから突出する突出部が設けられ得る。他の取付手段は、支持パネルの取付を可能とする折られた切り欠きも外装シートに有し得る。両方の外装シートが半透明であることも可能である。
【００６８】
各々が半透明な外装シートの一つに面する発光モジュールが、支持パネルの両側に取り付けられる照明装置が提供され得ることをさらに留意されたい。
【００６９】
半透明な外装シートに面する支持パネルの側のこのような発光モジュールは、比較的高強度の光が、半透明な外装シートを通って外部に向かって配光されることを可能にする。
【００７０】
当業者は、本発明が決して好ましい実施形態に限定されないことを理解するであろう。開示された実施形態に対する他のバリエーションは、当業者により、請求項に係る発明を実施する際に、図面、開示内容、及び添付の請求項の精査から理解され、実施されることができる。請求項において、「有する(comprising)」なる単語は、他の要素又はステップを排除するものではなく、不定冠詞「a」又は「an」は、複数を排除するものではない。特定の手段が互いに異なる従属請求項に引用されているという単なる事実は、これら手段の組み合わせを有利に使用することができないということを示すものではない。特許請求の範囲における参照符号は全て、該範囲を限定するものとみなされるべきではない。
【符号の説明】
【００７１】
１    照明装置
２    支持パネル
３    発光モジュール
４    側部
５    側部
６    側部
７    側部
８    外装シート
９    層
１０  外装シート
１１  側部
１２  側部
１３  側部
１４  側部
１５  テープ
１６  テープ
１７  光線
１８  光線
１９  光線
３０  照明装置
３１  外装シート
３２  外装シート
３３  側部
３４  側部
３５  折り目
３６  側部
３７  側部
３８  フラップ
３９  フラップ
４０  折り目
４１  折り目
４２  縁辺
Ｐ１  矢印
Ｘ１  距離
Ｘ２  距離
Ｘ３  距離
【図１Ａ】
0006367918.tif 000002
【図１Ｂ】
0006367918.tif 000003
【図２Ａ】
0006367918.tif 000004
【図２Ｂ】
0006367918.tif 000005
【図３Ａ】
0006367918.tif 000006
【図３Ｂ】
0006367918.tif 000007
【図４Ａ】
0006367918.tif 000008
【図４Ｂ】
0006367918.tif 000009